(57)【要約】【課題】情報処理装置で画像を視聴している場合において、着信があったときに画像が視聴できなくなることを防ぐことができる情報処理装置を提供する。【解決手段】情報処理装置で、画像を視聴している間に、他装置からの所定の信号を検知して、ディスプレイに表示していた画像を、自機外部のスクリーンの代替物となる壁面などに投射する投射手段を備える。投射手段としては、例えば、情報処理装置に、小型のプロジェクタを備えることで、対処する。ユーザが、情報方処理装置で、動画などを視聴しているときに電話着信などがあった場合に通話のために情報処理装置を耳に充てるとディスプレイを見れなくなるが、代わりに動画がプロジェクタから投射されることで、ユーザは動画を視聴し続けることができる。【選択図】図３
2008219256.tif 000002
【特許請求の範囲】
【請求項１】
表示部に画像を表示させる機能と、他装置との間で信号の送受信を行う機能とを備えた情報処理装置であって、
前記表示部に画像データに基づく第１画像を表示させている場合に、前記他装置から所定の信号を受信したときに、投射部から前記画像データに基づく第２画像を投射させる制御手段とを備える
ことを特徴とする情報処理装置。
【請求項２】
表示部に画像を表示させる機能と、他装置との間で信号の送受信を行う機能とを備えた情報処理装置であって、
前記表示部に画像データに基づく第１画像を表示させている場合に、前記他装置から所定の信号を受信したときに、更に、所定の指令を検知すると、投射部から前記画像データに基づく第２画像を投射させる制御手段を備える
ことを特徴とする情報処理装置。
【請求項３】
表示部に画像を表示させる機能と、他装置との間で信号の送受信を行う機能とを備えた情報処理装置であって、
前記表示部に画像データに基づく第１画像を表示させている場合に、所定の動作モードで動作しており、且つ、前記他装置から所定の信号を受信したときに、投射部から前記画像データに基づく第２画像を投射させる制御手段を備える
ことを特徴とする情報処理装置。
【請求項４】
前記所定の信号は、通話を要求する着信を検知したことを示す信号である
ことを特徴とする請求項１〜３の何れか１項に記載の情報処理装置。
【請求項５】
前記所定の信号は、メールの受信を検知したことを示す信号である
ことを特徴とする請求項１〜３の何れか１項に記載の情報処理装置。
【請求項６】
前記情報処理装置は、更に、
前記画像データに対応する音声データに基づく音声を出力する音声出力手段を備え、
前記制御手段は、前記投射部に前記第２画像を投射させた場合に、前記音声出力手段に出力させている音声の音量を低減させる
ことを特徴とする請求項１〜３の何れか１項に記載の情報処理装置。
【請求項７】
前記制御手段は、前記画像データに対応する字幕データがある場合に、前記投射部から前記字幕データに基づく字幕と前記第２画像とを投射させる
ことを特徴とする請求項１〜３の何れか１項に記載の情報処理装置。
【請求項８】
前記情報処理装置は、更に、
自装置の傾きを検出する傾き検出手段を備え、
前記制御手段は、前記傾き検出手段により検出される傾きに応じて、前記投射部から投射されている前記第２画像の投射方向を制御する
ことを特徴とする請求項１〜３の何れか１項に記載の情報処理装置。
【請求項９】
前記情報処理装置は、更に、
前記投射部の画像の投射方向に、動体の存在を検出する動体検出センサを備え、
前記制御手段は、前記動体検出センサが動体の存在を検出した場合に、前記投射部からの前記第２画像の投射を中止又は中断させる
ことを特徴とする請求項１〜３の何れか１項に記載の情報処理装置。
【請求項１０】
前記情報処理装置は、更に、
照度を検出する照度センサと、
照明装置を制御する照明装置制御手段とを備え、
前記制御手段は、前記照度センサにより検出される照度が所定の閾値を上回ったときに、前記照明装置制御手段に、前記照度センサで検出される照度が低減するように前記照明装置を制御させる
ことを特徴とする請求項１〜３の何れか１項に記載の情報処理装置。
【請求項１１】
前記制御手段は、前記所定の信号が、ＴＶ電話による通話を要求する信号であった場合に、前記投射部から投射する領域を分割し、前記第２画像と、前記ＴＶ電話の通話相手に係る画像とを投射させる
ことを特徴とする請求項１〜３の何れか１項に記載の情報処理装置。
【請求項１２】
前記制御手段は、
前記音声データを自装置に接続されている外部機器に出力していた場合に、前記投射部から前記第２画像の投射させたときに、前記外部機器に出力している前記音声データを、受話に係る音声データに切り替える
ことを特徴とする請求項１〜３の何れか１項に記載の情報処理装置。
【請求項１３】
前記情報処理装置は、更に、
前記画像データを受信する画像データ受信手段を備え、
前記制御手段は、
前記画像データ受信手段により受信している前記画像データに基づく第１画像が前記表示部に表示されている場合に、前記所定の信号を受信してから、前記投射部から前記第２画像を投射させるまで、受信している前記画像データを記録する
ことを特徴とする請求項１〜３の何れか１項に記載の情報処理装置。
【請求項１４】
前記制御手段は、前記投射部から前記第２画像を投射させた場合に、前記表示部に前記第１画像の表示を継続させる
ことを特徴とする請求項１〜３の何れか１項に記載の情報処理装置。
【請求項１５】
前記制御手段は、前記投射部から前記第２画像を投射させた場合に、前記表示部に表示させている第１画像の表示を中止又は中断させる
ことを特徴とする請求項１〜３の何れか１項に記載の情報処理装置。
【請求項１６】
前記制御手段は、前記投射部からの前記第２画像の投射を終了させた場合に、前記表示部に前記画像データに基づく第１画像を表示させる
ことを特徴とする請求項１５に記載の情報処理装置。
【請求項１７】
表示部に画像を表示させる機能と、他装置との間で信号の送受信を行う機能と、投射部から画像の投射を行う機能とを備えた情報処理装置における画像の投射方法であって、
前記表示部に画像データに基づく第１画像を表示させている場合に、前記他装置から所定の信号を受信すると、前記投射部から前記画像データに基づく第２画像を投射させる制御ステップを含む
ことを特徴とする投射方法。
【請求項１８】
表示部に画像を表示させる機能と、他装置との間で信号の送受信を行う機能と、投射部から画像の投射を行う機能とを備えた情報処理装置のコンピュータに読み込まれ、前記投射部から画像を投射させる処理手順を示した投射プログラムであって、前記処理手順は、
前記表示部に画像データに基づく第１画像を表示させている場合に、前記他装置から所定の信号を受信すると、前記投射部から前記画像データに基づく第２画像を投射させる制御ステップを含む
ことを特徴とする投射プログラム。
【発明の詳細な説明】
【技術分野】
【０００１】
本発明は、情報処理装置に関し、特に、情報処理装置の通信時の動画の再生に関わる。
【背景技術】
【０００２】
近年、携帯電話機において、動画を見ることも多くなった。しかしながら、動画を見ている最中にも着信があることがある。そのような場合、携帯電話機のディスプレイには、動画ではなく、着信があることを示す情報が表示されるので、ユーザは動画を見られなくなる。また、通話する場合にはユーザは通常携帯電話機を耳にあてるため、ディスプレイを見れないので、通話中も動画を見ることができない。また、音声についても動画の音声よりも通話の音声を優先させることになるので動画の音声は出力されなくなる。
【０００３】
そこで、下記の特許文献１においては、携帯電話機に外部機器、例えばイヤホンを接続して、着信があった場合に、通話音声をイヤホンに出力し、また、携帯電話機に別途接続されているマイクからユーザの声を拾うように自動的に切り替えることで、動画を視聴しながら通話を実行する技術が開示されている。
【特許文献１】特開２００６−２０３３９８号公報
【発明の開示】
【発明が解決しようとする課題】
【０００４】
ところで、上記特許文献１の場合だと、動画を視聴しながら、通話を実行するためには、常にイヤホンとマイクを持ち歩いている必要がある。携帯電話機のほかにも機器を持ち歩く必要があるので、携帯電話機の携帯性を損なうこととなる。
そこで、本発明は、上記課題を鑑みてなされたものであり、イヤホンやマイクなどの外部機器がなくとも、情報処理装置で動画を視聴していた場合に通話着信を受けても動画を視聴することができる情報処理装置を提供することを目的とする。
【課題を解決するための手段】
【０００５】
上記課題を解決するため、本発明は、表示部に画像を表示させる機能と、他装置との間で信号の送受信を行う機能とを備えた情報処理装置であって、前記表示部に画像データに基づく第１画像を表示させている場合に、前記他装置から所定の信号を受信したときに、投射部から前記画像データに基づく第２画像を投射させる制御手段とを備えることを特徴としている。
【０００６】
画像とは、静止画と動画の何れであってもよく、例えば、ＴＶ放送、動画像、ストリーミング、写真などがある。また、第１画像と第２画像はそれぞれ同じデータに基づいて作成される画像であり、静止画のデータである場合には同じ画像になる。当該データが動画のデータである場合には、第１画像と第２画像とは異なる画像になることがある。第１画像は、表示部に表示される画像であり、第２画像は、投射部から投射される画像である。また他装置とは、自装置外にある装置をいう。また、投射部から投射される画像は、自装置には備えられていないスクリーンの代替物となるもの、例えば壁などに投射してもよい。
【発明の効果】
【０００７】
この構成を備えることにより、情報処理装置は、投射部、つまりプロジェクタにより、所定の信号を検知した時には画像を外部に投射するので、ユーザは、例えば、通話中であっても、動画を見ることができる。また、画像の投射は、自装置の機能によって実現されるので、外部機器に頼る必要もない。また、投射するのが動画で、第２画像が第１画像に連続するシーンの画像であった場合には、ユーザは、動画の内容を連続して視聴できることになり、シーンの見逃しが発生することもない。
【０００８】
また、本発明は、表示部に画像を表示させる機能と、他装置との間で信号の送受信を行う機能とを備えた情報処理装置であって、前記表示部に画像データに基づく第１画像を表示させている場合に、前記他装置から所定の信号を受信したときに、更に、所定の指令を検知すると、投射部から前記画像データに基づく第２画像を投射させる制御手段を備えることを特徴としている。
【０００９】
ここで所定の指令とは、例えば、ユーザからの操作により発せられる画像の投射を実行する指令や、センサが反応することにより発せられる指令、投射を実行する方向にかかる指令などを含む。
この構成を備えることにより、情報処理装置は、投射部、つまりプロジェクタにより、所定の信号を検知し、且つ、所定の指令を受けた時には画像を外部に投射するので、ユーザは、例えば、通話中であっても、動画を見ることができる。また、画像の投射は、自装置の機能によって実現されるので、外部機器に頼る必要もない。また、投射するのが動画で、第２画像が第１画像に連続するシーンの画像であった場合には、ユーザは、動画の内容を連続して視聴できることになり、シーンの見逃しが発生することもない。
【００１０】
また、本発明は、表示部に画像を表示させる機能と、他装置との間で信号の送受信を行う機能とを備えた情報処理装置であって、前記表示部に画像データに基づく第１画像を表示させている場合に、所定の動作モードで動作しており、且つ、前記他装置から所定の信号を受信したときに、投射部から前記画像データに基づく第２画像を投射させる制御手段を備えることを特徴としている。
【００１１】
ここで所定の動作モードとは、ユーザにより予め設定されている設定情報に基づく動作状態のことであり、例えば、ユーザが表示部に画像を表示しているときに、着信があった場合に投射を実行するかどうかを示す情報に基づいて動作している動作状態のことをいい、投射を実行する設定になっていた場合に、投射部からの第２画像の投射が実行される。
この構成を備えることにより、情報処理装置は、投射部、つまりプロジェクタにより、所定の信号を検知し、且つ、所定の動作モード時において画像を外部に投射するので、ユーザは、例えば、通話中であっても、動画を見ることができる。また、画像の投射は、自装置の機能によって実現されるので、外部機器に頼る必要もない。また、投射するのが動画で、第２画像が第１画像に連続するシーンの画像であった場合には、ユーザは、動画の内容を連続して視聴できることになり、シーンの見逃しが発生することもない。
【００１２】
また、前記所定の信号は、通話を要求する着信を検知したことを示す信号であることとしてよい。
これにより、情報処理装置は、通話を要求する着信があった場合に、画像の投射を実行することになるので、ユーザは情報処理装置を耳に充てて通話を行いながらも画像をみることができる。
【００１３】
また、前記所定の信号は、メールの受信を検知したことを示す信号であることとしてよい。
これにより、情報処理装置は、メールを受信した場合に、画像の投射を実行することになるので、通常、メールを受信したことを示す情報が情報処理装置の表示部に表示部に表示され、今まで視聴していた画像が見れなくなる場合でも、画像を見続けることができる。
【００１４】
また、前記情報処理装置は、更に、前記画像データに対応する音声データに基づく音声を出力する音声出力手段を備え、前記制御手段は、前記投射部に前記第２画像を投射させた場合に、前記音声出力手段に出力させている音声の音量を低減させることとしてよい。
ここで、音量を低減とは、音量を小さくすることと、消去することを含む。
これにより、動画の音声は、投射時に抑えられることになるので、情報処理装置で動画の音声を出力することによって、通話の妨げになることを防ぐことができる。
【００１５】
また、前記制御手段は、前記画像データに対応する字幕データがある場合に、前記投射部から前記字幕データに基づく字幕を前記第２画像とともに投射させることとしてよい。
これにより、情報処理装置で、投射している画像が動画で、音声を抑えられたとしても、字幕があれば、登場人物の台詞などを認識でき、ユーザは、投射して表示されている字幕により、動画の内容をより詳細に認識することができる。
【００１６】
また、前記情報処理装置は、更に、自装置の傾きを検出する傾き検出手段を備え、前記制御手段は、前記傾き検出手段により検出される傾きに応じて、前記投射部から投射されている前記第２画像の投射方向を制御することとしてよい。
これにより、情報処理装置は、傾きに応じて、プロジェクタで投射する角度をある程度調節することが可能となり、なるべく画像を水平方向に投射できるようになるので、投射される画像が歪むという事態を極力防止できるようになる。
【００１７】
また、前記情報処理装置は、更に、前記投射部の画像の投射方向に、動体の存在を検出する動体検出センサを備え、前記制御手段は、前記動体検出センサが動体の存在を検出した場合に、前記投射部からの前記第２画像の投射を中止又は中断させることとしてよい。
これにより、情報処理装置は、人物や動物など動く物体が投射方向に存在した場合に画像の投射を中止又は中断し、投射方向にいた人に対して投射するのを防止し、画像が視聴しにくくなるのを防ぐと同時に、投射方向にいる人に不快な思いをさせなくてすむ。
【００１８】
また、前記情報処理装置は、更に、照度を検出する照度センサと、照明装置を制御する照明装置制御手段とを備え、前記制御手段は、前記照度センサにより検出される照度が所定の閾値を上回ったときに、前記照明装置制御手段に、前記照度センサで検出される照度が低減するように前記照明装置を制御させることとしてよい。
これにより、情報処理装置は、例えば、ユーザが室内にいる場合などに、リモコン機能を用いて照明装置を制御して室内を暗くすることで投射している画像を視聴しやすくすることができる。
【００１９】
また、前記制御手段は、前記所定の信号が、ＴＶ電話による通話を要求する信号であった場合に、前記投射部から投射する領域を分割し、前記第２画像と、前記ＴＶ電話の通話相手に係る画像とを投射させることとしてよい。
情報処理装置は、ＴＶ電話通話の着信があった場合には、通常ディスプレイに表示される通話相手の画像を確認しながら会話を行うが、この構成により、画像と共に相手画像を投射することができるので、相手の顔を確認して通話をしながら画像も視聴することができる。
【００２０】
また、前記制御手段は、前記音声データを自装置に接続されている外部機器に出力していた場合において、前記投射部から記第２画像の投射させたときに、前記外部機器に出力している前記音声データを、受話に係る音声データに切り替えることとしてよい。
これにより、情報処理装置は、動画をディスプレイに再生しつつ情報処理装置に接続したイヤホンを通じてその音声を出力していた場合に、通話の着信など所定の信号を受けたときには、イヤホンに出力する音声を動画の音声から通話の音声に切り替えることができる。
【００２１】
また、前記情報処理装置は、更に、前記画像データを受信する画像データ受信手段を備え、前記制御手段は、前記画像データ受信手段により受信している前記画像データに基づく第１画像が前記表示部に表示されている場合に、前記所定の信号を受信してから、前記投射部から前記第２画像を投射させるまで、受信している前記画像データを記録することとしてよい。
【００２２】
これにより、ストリーミングを実行できる、あるいはＴＶ放送を受信することができる情報処理装置において、ストリームミングに基づく動画、あるいはＴＶ放送を再生していた場合に、情報処理装置は、ストリームミングを実行している際に受信する動画データや、放送に係るデータを記録することができる。情報処理装置では、着信があった瞬間から、ディスプレイには動画ではなく着信があることを示す情報が表示されるので、プロジェクタが起動して外部に放送を投射し始めるまではストリームミングに基づく動画やＴＶ放送をユーザが視聴できないことになり、重要なシーンを見逃してしまう可能性がある。しかし、上記構成により、情報処理装置は、記録している動画データに基づく動画を再生することで、重要なシーンをユーザが見逃すという事態を防止できる。
【００２３】
また、前記制御手段は、前記投射部から前記第２画像を投射させた場合に、前記表示部に前記第１画像の表示を継続させることとしてよい。
これにより、画像の投射を実行した後にも、表示部における画像の表示を続行することができる。
また、前記制御手段は、前記投射部から前記第２画像を投射させた場合に、前記表示部に表示させている第１画像の表示を中止又は中断させることとしてよい。
【００２４】
これにより、画像の投射を実行した後に、表示部における画像の表示を中止するので、所定の信号が電話着信を示す信号で、情報処理装置を耳にあてて通話をする状態にあるときにユーザは表示部を見れないので、表示部においてみることができない画像の表示を中止又は中断し、その無駄をなくすことができる。
また、前記制御手段は、前記投射部からの前記第２画像の投射を終了させた場合に、前記表示部に前記画像データに基づく第１画像を表示させることとしてよい。
【００２５】
これにより、画像の投射を終了する場合に、画像の表示を表示部により表示に切り替えることで画像を表示し続けることができる。ユーザは、画像が動画の場合などには、表示部に表示される第１画像が第２画像に連続するシーンの画像である場合には、動画をシーンが途切れることなく続けて視聴することができる。
また、本発明は、表示部に画像を表示させる機能と、他装置との間で信号の送受信を行う機能と、投射部から画像の投射を行う機能とを備えた情報処理装置における画像の投射方法であって、前記表示部に画像データに基づく第１画像を表示させている場合に、前記他装置から所定の信号を受信すると、前記投射部から前記画像データに基づく第２画像を投射させる制御ステップを含むこととしてよい。
【００２６】
あるいは、本発明は、表示部に画像を表示させる機能と、他装置との間で信号の送受信を行う機能と、投射部から画像の投射を行う機能とを備えた情報処理装置のコンピュータに読み込まれ、前記投射部から画像を投射させる処理手順を示した投射プログラムであって、前記処理手順は、前記表示部に画像データに基づく第１画像を表示させている場合に、前記他装置から所定の信号を受信すると、前記投射部から前記画像データに基づく第２画像を投射させる制御ステップを含むこととしてもよい。
【００２７】
この方法を情報処理装置が実行、あるいは情報処理装置のコンピュータがプログラムを読み込んで実行することで、情報処理装置は、画像をディスプレイ上に表示していた場合において、電話着信などの所定の信号を受けたときに、表示していた画像を自機外部に投射することができるようになる。
【発明を実施するための最良の形態】
【００２８】
以下、本発明に係る情報処理装置の一実施形態である携帯電話機について図面を用いて説明する。
＜実施の形態１＞
＜構成＞
図１は、携帯電話機１００の外観の一例であり、ここでは携帯電話機１００は上部筐体１０１と下部筐体１０３がヒンジ部１０２で接続されている折畳み型携帯電話機であるとする。図１（ａ）は携帯電話機１００の表面図であり、図１（ｂ）は、当該携帯電話機１００を左から見た場合の側面図である。
【００２９】
図１（ａ）に示すように、上部筐体１０１にはＴＶ電話用カメラ１０４と、スピーカ１３２と、ディスプレイ１４１とが設けられている。また、下部筐体１０３にはテンキー、方向キー、決定キーなどを含む諸キー群１２０が配され、マイク１３１が設けられている。また、図１（ｂ）に示すように、ヒンジ部１０２の側面には、動画を投射するためのプロジェクタレンズ１５１が設けられており、また、当該プロジェクタレンズ１５１によって投射される方向に人物が居るかどうかを検出するための人物センサ１０５がプロジェクタレンズ１５１に隣接されている。本明細書においては、単に、人物センサとのみ記載するが、実際には検出する方法としては、例えば、赤外線センサなどを用いて人の体温に近いものがセンサの検出範囲内にあるかどうかによって人物がいるかどうかを検出してもよいし、動く物体があるかどうかを検出する動体センサを用いて、動体の存在を検出することとしてもよい。当該携帯電話機１００の機能構成をブロック図で示したのが図２である。
【００３０】
図２に示すように、携帯電話機１００は、通信部１１０と、操作部１２０と、音声処理部１３０と、表示部１４０と、投射部１５０と、記憶部１６０と、制御部１７０とを含んで構成される。上述の第１画像は、表示部１４０のディスプレイ１４１に表示される画像であり、上述の第２画像は、投射部１５０によりプロジェクタレンズ１５１から投射される画像である。
【００３１】
通信部１１０は、アンテナ１１１を含んで構成され、アンテナ１１１から受け取った受信信号を受話音声信号及び受信データ信号に復調し、復調した受話音声信号を音声処理部１３０に、受信データ信号を制御部１７０に出力する機能を有する。また、通信部１１０は、音声処理部１３０でＡ／Ｄ変換された送話音声信号、及び制御部１７０から与えられる電子メールなどの送信データ信号を変調し、アンテナ１１１から出力する機能を有する。
【００３２】
操作部１２０は、テンキー群、オンフックキー、オフフックキー、方向キー、決定キー、メールキーなどの諸キー群を含み、ユーザの操作を受け付け、受け付けた操作内容を制御部１７０に伝達する機能を有する。
音声処理部１３０は、通信部１１０から出力された受話音声信号をＤ／Ａ変換してスピーカ１３２に出力する機能と、マイク１３１から取得した送話音声信号をＡ／Ｄ変換し、生成した信号を通信部１１０に出力する機能を有する。
【００３３】
表示部１４０は、ＬＣＤ（Liquid Crystal Display）などによって実現されるディスプレイ１４１を含み、制御部１７０の指示による画像をディスプレイ１４１に表示する機能を有する。具体的には、表示部１４０は、待ち受け画面やメールの文書、時間などを表示する。また、表示部１４０は、制御部１７０の指示による動画をディスプレイ１４１に表示する。
【００３４】
投射部１５０は、プロジェクタであり、制御部１７０の指示による画像を外部に投射する機能を有する。近年小型プロジェクタの開発が行われており、実現にあたってはこれを用いることとする。
記憶部１６０は、ＲＯＭ（Read Only Memory）、ＲＡＭ（Random Access Memory）を含んで構成され、小型ハードディスクや不揮発性メモリなどによって実現される。記憶部１６０は、携帯電話機１００の動作上必要な各種データやプログラムの他、音楽データや画像データなどを記憶する機能を有する。
【００３５】
制御部１７０は、携帯電話機１００の各部を制御する機能を有する。また、本発明においては、制御部１７０は、判定手段１７１を含む。判定手段１７１は、表示部１４０がディスプレイ１４１に動画を表示していた場合に、通信部１１０を介して着信があり、通話要求かどうかを判定する。そして、制御部１７０は、判定手段１７１で着信が通話要求であったことが検出された場合には、表示部１４０のディスプレイ１４１で表示されていた動画を、投射部１５０に投射させる機能を有する。
【００３６】
図３は、本発明における端的な特徴を示した携帯電話機１００の使用形態の図である。
図３（ａ）に示したように、ユーザは携帯電話機１００のディスプレイ１４１に動画を表示させ視聴しているとする。このときに、携帯電話機１００で着信があったとする。そして当該着信が通話要求の着信であった場合には、図３（ｂ）に示すように、プロジェクタレンズ１５１から、ディスプレイ１４１で視聴していた動画を投射して、ユーザは投射された動画を見ながら通話を行う。動画は、例えば、壁面などに投射されるので、通話を行いながらもイヤホンやマイクなどの外部機器に頼ることなく動画を見続けることができる。なお、図３（ｂ）において、点線矢印はユーザの視線を示している。
＜動作＞
次に、本実施の形態における携帯電話機１００の動作を図４、及び図５に示すフローチャートを用いて説明する。
【００３７】
まず、図４を用いて、携帯電話機１００のディスプレイ１４１で動画を視聴していた場合において着信があったときの動作を説明する。携帯電話機１００は、動画を再生し、ディスプレイ１４１に表示している（ステップＳ４０１）。そして、制御部１７０は、通信部１１０を通じて着信があるかどうかを検出している（ステップＳ４０３）。着信がない場合には、ディスプレイ１４１に動画を再生し続ける（ステップＳ４０３のＮＯ、ステップＳ４０１）。
【００３８】
着信があった場合には（ステップＳ４０３のＹＥＳ）、制御部１７０は、ディスプレイ１４１に表示させている動画の再生を中断し、当該着信が、通話要求の着信であるかどうかを判定する（ステップＳ４０５）。通話要求の着信でない場合（ステップＳ４０５のＮＯ）、例えば、メール着信であった場合には、ディスプレイ１４１に表示させている動画の再生を継続する。
【００３９】
着信が通話要求であった場合には（ステップＳ４０５のＹＥＳ）、制御部１７０は、投射部１５０にプロジェクタの起動を指示する（ステップＳ４０７）。そしてプロジェクタの投射準備が整うと、動画視聴時に着信を受けたことにより中断していたところから動画を投射させる（ステップＳ４０９）。これは、表示部１４０が再生していた動画の再生中断時における再生経過時間を制御部１７０に通知し、制御部１７０は通知された再生経過時間からの動画のデータを投射部１５０に転送することにより実行する。そして通話ボタンの押下により、通話を開始し（ステップＳ４１１）、本フローにおける処理は終了する。なお、動画の投射は、通話の終了と共に終了し、投射していた動画の続きは、ディスプレイ１４１上に再生される。
【００４０】
次に、図５を用いて、投射中における携帯電話機１００の動作を説明する。
携帯電話機１００は、プロジェクタを用いて動画を外部に投射している（ステップＳ５０１）。そして、携帯電話機１００の制御部１７０は、動画の再生中に人物センサ１０５で反応があるかどうか、つまり人物がいるかどうかを検出する（ステップＳ５０３）。これは例えば、人物センサ１０５が赤外線センサの場合には、ある特定範囲の温度、つまり人間の体温を検出することで行う。
【００４１】
人物センサ１０５で反応がない限りは（ステップＳ５０３のＮＯ）、携帯電話機１００のプロジェクタは、動画を投射し続ける。人物センサ１０５に反応があった場合には（ステップＳ５０３のＹＥＳ）、携帯電話機１００の制御部１７０は、投射部１５０に対して、動画の投射の中断を指示し、当該指示に基づいて投射部１５０は、動画の投射を中止する（ステップＳ５０５）。そして制御部１７０は、投射を中止している間に人物センサ１０５で反応がなくなるかどうかを検出する（ステップＳ５０７）。人物の反応がなくならない限りは（ステップＳ５０７のＮＯ）、動画の投射は中断され続ける（ステップＳ５０５）。
【００４２】
そして、人物センサ１０５の反応がなくなった場合に（ステップＳ５０７のＹＥＳ）、制御部１７０は、動画の投射の再開を投射部１５０に指示し、投射部１５０は、当該指示に基づいて、人物センサ１０５が人物の反応を検出した時点であり、動画の投射を中断していたところから再開する（ステップＳ５０１）。
これにより、例えば、投射方向に人がいた場合に、これを検出して、動画の投射を中断することで、屋外で投射していたときに通行人に迷惑をかけることを防ぐことができる。
【００４３】
以上が、実施の形態１に係る携帯電話機１００の動作である。ディスプレイ１４１で動画を視聴中に通話要求があった場合に、ディスプレイ１４１に表示させている動画をプロジェクタで自機外部に投射することがその大きな特徴である。
＜実施の形態２＞
上記実施の形態２においては、ディスプレイ１４１に表示させている動画を視聴しているときに、電話着信があった場合に動画を投射することを示した。本実施の形態においては、単なる電話着信ではなくＴＶ電話着信があった場合における携帯電話機１００の動作を説明する。
【００４４】
図６は、本実施の形態２における携帯電話機１００の外観を示した外観図であり、図１（ａ）に示した表面図の背面側を示した背面図である。図７に示すように携帯電話機１００は、ヒンジ部１０３の中央部にもプロジェクタレンズ１５２を備えている。本実施の形態においては、携帯電話機１００は、当該プロジェクタレンズ１５２からの動画の投射も可能となっている。
【００４５】
図７は、本実施の形態２における携帯電話機１００の使用形態を示した図である。本実施の形態２においては、ディスプレイ１４１に表示させている動画を視聴している場合に、ＴＶ電話の着信があると、図７に示すように、投射する領域を２つに分割して、上半分で今まで視聴していた動画の続きを、下半分で通話相手の顔画像を投射することが特徴となる。
＜構成＞
携帯電話機１００の機能構成としては、基本的に実施の形態１に示したものと略同一であるが、本実施の形態における動作の実現のために必要な機能をここで説明しておく。
【００４６】
携帯電話機１００の判定手段１７１は、実施の形態１に示した機能に加え、更に、着信が通話要求か、ＴＶ電話による通話要求かを判定する機能も有する。この判定は、着信した信号のデータに含まれている情報が、通話要求かあるいはＴＶ電話要求であるかを示す情報に基づいて判定される。
また、制御部１７０は、動画の視聴中にＴＶ電話要求を受けた場合に、投射部１５０に対して、ＴＶ電話の通話相手から送信されてくる動画と、ディスプレイ１４１に表示していた動画との両方のデータを転送し、投射する指示を出力する機能を有する。
【００４７】
そして、投射部１５０は、制御部１７０からの指示に基づき、２以上の異なる動画データを受け付けた場合に、その動画データに対応した動画を投射する領域を分割して投射する機能を有する。
＜動作＞
図８は、実施の形態２における携帯電話機１００の動作を示したフローチャートである。
【００４８】
図８に示すように、まず携帯電話機１００は、ディスプレイ１４１に動画を表示させているとする（ステップＳ８０１）。そして、制御部１７０は、通信部１１０を通じて着信があるかどうかを検出している（ステップＳ８０３）。着信がない場合には、ディスプレイ１４１に動画を再生し続ける（ステップＳ８０３のＮＯ、ステップＳ８０１）。
着信があった場合には（ステップＳ８０３のＹＥＳ）、制御部１７０は、ディスプレイ１４１に表示させている動画の再生を中断し、当該着信が、通話要求の着信であるかどうかを判定する（ステップＳ８０５）。通話要求の着信でなかった場合には（ステップＳ８０５のＮＯ）、例えば、メール着信であった場合には、中断していた動画をディスプレイ１４１に表示させ再生する。
【００４９】
着信が通話要求であった場合には（ステップＳ８０５のＹＥＳ）、制御部１７０は、投射部１５０にプロジェクタの起動を指示する（ステップＳ８０７）。制御部１７０は、その通話要求がＴＶ電話の要求であるかどうかを判定する（ステップＳ８０９）。制御部１７０は、通話要求であるかＴＶ電話の通話要求であるかは送信されてくる信号のヘッダの違いにより区別する。通話要求がＴＶ電話の要求でなかった場合には（ステップＳ８０９のＮＯ）、携帯電話機１００の制御部１７０は、動画のみの投射を投射部１５０に指示し、投射部１５０は当該指示に基づき動画を、プロジェクタを用いて、例えば図３（ｂ）に示すように投射する（ステップＳ８１０）。
【００５０】
通話要求がＴＶ電話の要求であった場合には、制御部１７０は、投射部１５０に対して、ＴＶ電話の通話相手に係る動画とディスプレイ１４１に表示させている動画との両方の投射を指示する。制御部１７０は、通話相手の動画のデータと、ディスプレイ１４１に表示させている動画の動画データとを転送し、投射部１５０は、例えば図７に示すように投射する画面の上半分の動画領域７０１に動画を、画面の下半分の相手画像領域７０２に通話相手から送信されてくる通話相手の動画をプロジェクタを用いて、投射する（ステップＳ８１１）。
【００５１】
そして、ユーザによる通話ボタンの押下により、ユーザは通話を開始し（ステップＳ８１３）、本フローは終了する。なお、通話が終了すると投射部１５０は投射を終了し、制御部１７０は、表示部１４０のディスプレイ１４１に投射部１５０に投射させていた動画の続きを表示させる。
以上が実施の形態２における携帯電話機１００の動作である。ディスプレイ１４１に表示させている動画を視聴中にＴＶ電話通話を受けた場合に、ＴＶ電話の通話相手から送信されてくる動画とディスプレイ１４１に表示させている動画とを、投射する領域を分割して、投射することが特徴である。
＜実施の形態３＞
上記実施の形態１及び２においては、ユーザがディスプレイ１４１に表示させている動画を視聴しているときに着信があった場合には、携帯電話機１００はディスプレイ１４１に表示させている動画を投射することを示した。上記実施の形態においては特に記述しなかったが、このとき、動画の投射が開始されるまで、タイムラグが発生する。これは、携帯電話機１００で着信があった場合には、ディスプレイ１４１には着信があることを示す情報が表示され、ディスプレイ１４１には動画が表示されないことと、プロジェクタの起動までに若干の時間を必要とするためである。もしディスプレイ１４１に表示させている動画が、ＴＶ放送やストリームミングに基づく動画などであった場合には、重要なシーンを見逃してしまう可能性がある。そこで、本実施の形態においては、そのような事態を回避する技術を開示する。
＜構成＞
携帯電話機１００の機能構成としては、実施の形態１に示したものと略同一であるため、重複する部分は説明を割愛し、実施の形態１と異なる部分についてのみ説明する。
【００５２】
携帯電話機１００は、実施の形態１に示した機能に加え、通信部１１０を介してＴＶ放送やストリーミングによる動画データを受信する機能を有する。
また、制御部１７０は、実施の形態１に示した機能に加え、受信しているＴＶ放送のデータやストリームデータを記憶部１６０に記録する機能を有し、記録しているデータをタイムシフト再生で表示部１４０に表示させる、あるいは投射部１５０に投射させる機能も有する。
＜動作＞
図９は、実施の形態３における携帯電話機１００の動作を示したフローチャートである。ここでは、リアルタイムで動画データを受信して、再生する一形態として、ＴＶ放送を受信し、再生している場合について説明するが、このＴＶ放送はストリームミングに基づく動画などであってもよい。
【００５３】
携帯電話機１００は、ＴＶ放送を受信し、その内容をディスプレイ１４１に再生している（ステップＳ９０１）。そして、制御部１７０は、通信部１１０を通じて着信があるかどうかを検出している（ステップＳ９０３）。着信がない場合には、ＴＶ放送をディスプレイ１４１に再生し続ける（ステップＳ９０３のＮＯ、ステップＳ９０１）。
着信があった場合には（ステップＳ９０３のＹＥＳ）、制御部１７０は、ディスプレイ１４１に表示させているＴＶ放送の再生を中断するとともにＴＶ放送の記録を開始する（ステップＳ９０５）。そして制御部１７０は、当該着信が、通話要求の着信であるかどうかを判定する（ステップＳ９０７）。通話要求の着信でなかった場合（ステップＳ９０７のＮＯ）、例えば、メール着信であった場合には、携帯電話機１００はＴＶ放送の記録を中止し、記録して得られたデータを破棄し（ステップＳ９０８）、ＴＶ放送の続きをディスプレイ１４１に再生する。
【００５４】
着信が通話要求であった場合には（ステップＳ９０７のＹＥＳ）、制御部１７０は、投射部１５０にプロジェクタの起動を指示する（ステップＳ９０９）。そしてプロジェクタの投射準備が整うと、ＴＶ放送視聴時に着信を受けた時点で中断していたところからＴＶ放送を投射させる（ステップＳ９１１）。そして通話ボタンの押下により、通話を開始し（ステップＳ９１３）、本フローにおける処理は終了する。なお、ＴＶ放送の投射は通話の終了と共に終了し、ＴＶ放送の続きはディスプレイ１４１に再生される。
【００５５】
以上が実施の形態３に係る携帯電話機１００の動作であり、ワンセグによるＴＶ放送やストリーミングによる動画を視聴している際に、通話要求があったならば、その内容を記録しておくことが大きな特徴である。
＜補足＞
上記実施の形態に基づいて、本発明に係る携帯電話機について説明してきたが、本発明の実施の形態はこれらの実施の形態に限定されるものではないことは勿論である。以下にその変形例について説明する。
（１）本発明は、上記実施の形態に示した、携帯電話機１００において動画がディスプレイ１４１に表示されている時に着信があった場合の動画を投射するための方法であってもよく、また、当該方法を実現するために携帯電話機１００のコンピュータに読み込ませるコンピュータプログラムであってもよい。
（２）上記実施の形態においては、音声のことについては特に記述しなかったが、動画を投射すると共に音声については、動画の音声を低減もしくは出力しない構成にしてもよい。これにより、ユーザは、携帯電話機１００で投射されている動画を視聴しながら、当該動画に係る音声が出力されない、あるいは出力されたとしても低音量であるため、通話の妨げにならないようにすることができる。
（３）上記実施の形態においては、通話における使用形態は人によって異なるため、プロジェクタレンズ１５１の向く方向には差がでる。携帯電話機の１００の傾きを検出する傾きセンサを備え、当該センサにより検出される携帯電話機１００の傾き具合に応じて投射する方向をなるべく水平になるように投射することとしてよい。もともとプロジェクタは、投射する角度をある程度調節することができるので、その投射方向を傾き具合で調節して、なるべく動画を水平に投射することができるようになる。
【００５６】
更には、たとえば、プロジェクタレンズを実施の形態２のようにヒンジ部に備えていた場合には、ヒンジ部にモータを設け、当該モータによりプロジェクタが回動するようにしてもよい。これにより、単にプロジェクタが投射方向により僅かな角度調整を行うよりもより大きく投射方向の調整ができるようになる。
（４）携帯電話機１００は、更に、屋内の家電製品を制御するためのリモコンとしての機能も有していてもよい。そして、携帯電話機１００に照度を検出する照度センサを備え、当該照度センサで検出される照度が所定の閾値を超える場合には、動画の投射時に屋内の照明装置を屋内が暗くなるように制御してもよい。こうすることで、ユーザは投射される動画の内容をより鮮明に認識できるようになる。
【００５７】
また、単純に、画像の投射を実行するときに、照度センサによる検出を行わずに、周囲が暗くなるように照明装置を制御してもよい。
（５）上記実施の形態においては、特に記述しなかったが、動画を投射する場合に、投射する動画に対応する字幕データがないかどうかを検出し、字幕データがあった場合には、制御部１７０は投射部１５０に対して動画とともに検出した字幕データに基づく字幕をあわせて投射することとしてよい。こうすることで、投射された動画を視聴して、通話の妨げにならないように動画の音声を消去しても、ユーザは、登場人物の会話の内容などを認識できる。字幕データは予め携帯電話機１００に記憶させておいて、予め記憶されている字幕データに基づく字幕を投射してもよい。また、例えば上記実施の形態３のようにＴＶ放送を受信していたならばＴＶ放送を受信するとともに字幕データが配信されていたなら、当該字幕データを受信して、それに基づく字幕を投射してもよい。
（６）携帯電話機１００には、イヤホンなどの外部機器を接続するための端子があるが、ユーザがイヤホンを携帯電話機１００に接続し、当該イヤホンを通じて動画の音声を聞いていたとする。そして、このときに通話の着信があった場合には、携帯電話機１００は、ディスプレイ１４１に表示させている動画を自機外部に投射することになるが、音声については、今まで動画の音声をイヤホンに出力していたのを、通話の音声に切り替えることとしてよい。そして、更には、携帯電話機１００に備えられているスピーカ１３２を通じて動画の音声を出力する構成にしてもよい。
（７）上記実施の形態２においては、投射画面の下半分にＴＶ電話の通話相手から送信されてくる動画を、そして投射画面の上半分には動画を投射するように、投射画面を横に２つに分割して、図７に示すように投射することとした。これは、上下の投射内容が入れ替わって、上半分に動画が、そして下半分にＴＶ電話の通話相手から送信されてくる動画が表示されることとしても良いし、投射する領域を縦に分割して、左右に二つの画像を表示しても良い。更には、３つ以上の画像を分割して投射することとしてもよい。
【００５８】
また、投射する領域を３つ以上に分割して、分割された領域のうちの一つに動画を、そして、残りの領域のうちの一つにＴＶ電話の通話相手から送信されてくる動画を投射してもよい。
（８）上記実施の形態３においては、ＴＶ放送を受信することとしたが、これは、ストリームデータを受信しながら動画を再生するストリームミングに基づく動画の再生であってもよい。例えば、特定のサーバにアクセスして、ある映画のデータを逐次受信しながら、携帯電話機で再生、そして投射してもよい。
（９）上記実施の形態においては、本発明を携帯電話機１００として説明したが、通話機能とメールの送受信機能、プロジェクタによる画像の投射機能を備えた機器であればよく、例えば、プロジェクタ機能と通話機能を備えたＰＤＡ（Personal Digital Assistants）などであってもよい。
（１０）上記実施の形態においては、動画を投射することを例に説明したが、投射するのは動画でなく、静止画であってもよい。静止画としては、例えば、自機のカメラで撮影した画像や、インターネットから取得した画像などがある。静止画の場合には、ディスプレイ１４１に表示される画像と、投射される画像とは、同じ画像になる。
（１１）上記実施の形態においては、ディスプレイ１４１に動画を表示している最中に、着信があった場合に、動画を投射し、ディスプレイ１４１に表示していた動画については、動画の表示を中止することとしたが、これは、ディスプレイ１４１に表示し続けてもよい。
（１２）上記実施の形態においては、動画を表示している最中に、着信があった場合に、自動的に動画を投射する構成を示したが、動画の投射を実行するかどうかをユーザが設定できることとしてもよい。
【００５９】
例えば、メニューの設定情報に、動画を閲覧しているときに、着信があった場合に投射を実行するかどうかのＯＮ、ＯＦＦをＧＵＩにより設定できてもよい。そして、この設定がＯＮになっているときにのみ、動画閲覧時に着信があった場合に、投射を実行する構成にしてもよい。
あるいは、動画閲覧時に、着信があった場合に、動画の投射を実行するかどうかをユーザに問うＧＵＩをディスプレイ１４１に表示し、ユーザが表示する選択入力を実行した場合に、投射を実行する構成にしてもよい。
（１３）上記実施の形態２において、ＴＶ電話の通話相手に係る動画と、ディスプレイ１４１に表示していた動画とを、投射する領域を分割して投射する構成としたが、ディスプレイ１４１に動画を表示していた場合に、ＴＶ電話による通話要求があったときには、投射する動画を何れか一方のみとし、もう一方をディスプレイ１４１に表示する構成としてもよい。
（１４）上記実施の形態において、記録とは、例えば、録画などを含む。
【産業上の利用可能性】
【００６０】
本発明に係る情報処理装置は、動画を見ていた場合に、着信があったとしても動画を見続けることができる携帯電話機として活用することができる。
【図面の簡単な説明】
【００６１】
【図１】携帯電話機１００の外観を示した外観図であり、（ａ）は、携帯電話機１００の表面図、（ｂ）は、側面図である。
【図２】携帯電話機１００の機能構成を示した機能ブロック図である。
【図３】本発明に係る携帯電話機の使用形態を示した図であり、（ａ）は、ディスプレイに動画を表示している図であり、（ｂ）は動画を投射している図である。
【図４】本発明に係る動画を視聴している際の着信時における携帯電話機の動作を示したフローチャートである。
【図５】動画を投射している場合の携帯電話機の動作を示したフローチャートである。
【図６】実施の形態２に係る携帯電話機の背面図である。
【図７】実施の形態２に係る携帯電話機の使用形態を示した図である。
【図８】実施の形態２において、動画を視聴している場合にＴＶ電話要求があった場合の携帯電話機の動作を示したフローチャートである。
【図９】実施の形態３において、動画を視聴している場合に着信があった場合の携帯電話機の動作を示したフローチャートである。
【符号の説明】
【００６２】
１００  携帯電話機
１０１  上部筐体
１０２  ヒンジ部
１０３  下部筐体
１０４  ＴＶ電話用カメラ
１０５  人物センサ
１１０  通信部
１１１  アンテナ
１２０  操作部
１３０  音声処理部
１３１  マイク
１３２  スピーカ
１４０  表示部
１４１  ディスプレイ
１５０  投射部
１５１  プロジェクタレンズ
１６０  記憶部
１７０  制御部
１７１  判定手段
【図１】
2008219256.tif 000003
【図２】
2008219256.tif 000004
【図３】
2008219256.tif 000005
【図４】
2008219256.tif 000006
【図５】
2008219256.tif 000007
【図６】
2008219256.tif 000008
【図７】
2008219256.tif 000009
【図８】
2008219256.tif 000010
【図９】
2008219256.tif 000011